(57)【要約】【課題】傘や杖の逆Ｕ字状に屈曲した柄の先端部の滑り移動を台座上面に平行な全域にわたって確実に拘束することができるとともに、傘や杖の所有者の意向に則してあらゆる台座への傘や杖の滑り移動不能な吊り下げ保持を実行することができる台座上面への傘や杖の保持具を提供する。【解決手段】  カウンターやテーブルなどの台座２の上面２ａに載置される底面３を備えた隆起状本体部４に、傘５の逆Ｕ字状に屈曲した柄６の先端部６ａを係合する下向きの凹部７が形成されている。隆起状本体部４の底面３を台座２の縁部上面２ａに載置した状態で、下向きの凹部７に傘５の逆Ｕ字状に屈曲した柄６の先端部６ａを係合することで、傘５を吊り下げ保持することができる。【選択図】          図４
0003162480.tif 000002
【実用新案登録請求の範囲】
【請求項１】
カウンターやテーブルなどの台座の上面に載置して傘や杖を滑り移動不能に吊り下げ保持する台座上面への傘や杖の保持具であって、
前記台座の上面に載置される底面を備えた隆起状本体部に、傘や杖の逆Ｕ字状に屈曲した柄の先端部を係合する下向きの凹部が形成されていることを特徴とする台座上面への傘や杖の保持具。
【請求項２】
請求項１に記載した台座上面への傘や杖の保持具において、
前記隆起状本体部は軟質な樹脂またはゴム或いは発泡プラスチックの成形体からなる台座上面への傘や杖の保持具。
【請求項３】
請求項１に記載した台座上面への傘や杖の保持具において、
前記下向きの凹部は略半球形である台座上面への傘や杖の保持具。
【請求項４】
請求項１または請求項２に記載した台座上面への傘や杖の保持具において、
前記隆起状本体部は、その形状が円錐台である台座上面への傘や杖の保持具。
【請求項５】
請求項１または請求項２に記載した台座上面への傘や杖の保持具において、
前記隆起状本体部は、その形状が角錐台である台座上面への傘や杖の保持具。
【請求項６】
請求項１，請求項２，請求項３，請求項４または請求項５に記載した台座上面への傘や杖の保持具において、
前記隆起状本体部は顔料または蛍光顔料が含浸されている台座上面への傘や杖の保持具。
【請求項７】
請求項１，請求項２，請求項３，請求項４，請求項５または請求項６に記載した台座上面への傘や杖の保持具において、
前記隆起状本体部に連結用の紐が備わっている台座上面への傘や杖の保持具。
【請求項８】
請求項７に記載した台座上面への傘や杖の保持具において、
前記連結用の紐は着脱具により分離可能に構成されている台座上面への傘や杖の保持具。
【請求項９】
請求項１，請求項２，請求項３，請求項４，請求項５または請求項６に記載した台座上面への傘や杖の保持具において、
前記隆起状本体部の底面に上向きの凹部が形成されている台座上面への傘や杖の保持具。
【考案の詳細な説明】
【技術分野】
【０００１】
本考案は、台座上面への傘や杖の保持具に係り、より詳しくは、カウンターやテーブルなどの台座の上面に載置して、傘や杖を滑り移動不能に吊り下げ保持する台座上面への傘や杖の保持具に関するものである。
【背景技術】
【０００２】
従来、銀行や店のカウンターまたはテーブルもしくはＡＴＭ等の現金自動預払機あるいは駅の切符自販機などの台座の上面に載置して、傘や杖を吊り下げ保持する台座上面への傘や杖の保持具として特許文献１に記載のものが提案されている。
【０００３】
前記特許文献１に記載の台座上面への傘や杖の保持具を図１２，図１３および図１４に示す。これらの図において、台座上面への傘や杖の保持具５０は、平板状の本体５１と、この本体５１の上面に形成され、傘５２や図示していない杖（以下の説明では、杖という）の逆Ｕ字状に屈曲した柄５３の先端部５３ａを当てて止める突起部分５４と、本体５１の裏面に設けられて、カウンターやテーブルなどの台座５５の上面に貼り付けるための接着手段５６とを備えている。
【０００４】
前記構成の保持具５０によれば、平板状の本体５１を、その上面に形成された突起部分５４が手前になるように台座５５の縁部上面に接着し、突起部分５４に傘５２や杖の逆Ｕ字状に屈曲した柄５３の先端部５３ａを当てて止めることにより、傘５２や杖を吊り下げ保持することができる。
【先行技術文献】
【特許文献】
【０００５】
【特許文献１】特開２００６−１４１５７８号公報
【考案の概要】
【考案が解決しようとする課題】
【０００６】
ところが、特許文献１に記載の台座上面への傘や杖の保持具５０は、その突起部分５４を平板状の本体５１の長手方向（矢印Ｌ）一端部の上面において該平板状の本体５１の幅方向（矢印Ｗ）に一直線状に延設して、傘５２や杖の逆Ｕ字状に屈曲した柄５３の先端部５３ａを当てて滑り止め係止するように構成されているので、傘５２や杖の逆Ｕ字状に屈曲した柄５３の先端部５３ａが図１４の矢印Ｌ１方向に滑り移動するのを拘束して、傘５２や杖が台座５５から滑落するのを防止する効果は期待できるものの、前記柄５３の先端部５３ａが図１４の矢印Ｗ方向へ滑り移動するのを拘束する機能を有していない。そのため、肘などが柄５３に軽く当接することで、その先端部５３ａが突起部分５４に沿って矢印Ｗ方向へ容易に滑り移動して該突起部分５４の延設領域から外れて、傘５２や杖が台座５５から滑落するおそれを有している。
【０００７】
一方、特許文献１に記載の台座上面への傘や杖の保持具５０は、台座５５の所有者側の意向によって提供される。したがって、台座上面への傘や杖の保持具５０が載置されていない台座５５では、傘５２や杖を滑り移動不能に吊り下げ保持することはできない。つまり、台座５５への傘５２や杖の滑り移動不能な吊り下げ保持の可否は、台座５５の所有者側の意向に左右され、傘５２や杖の所有者の意向が全て反映されるものではないので、傘５２や杖の所有者の意向に反して、台座５５への傘５２や杖の滑り移動不能な吊り下げ保持の実行不可能な状態が生じることもある。
【０００８】
本考案は上記の実情に鑑みてなされたものであって、傘や杖の逆Ｕ字状に屈曲した柄の先端部の滑り移動を台座上面に平行な全域にわたって確実に拘束することができるとともに、傘や杖の所有者の意向に則してあらゆる台座への傘や杖の滑り移動不能な吊り下げ保持を実行することができる台座上面への傘や杖の保持具の提供を目的とするものである。
【課題を解決するための手段】
【０００９】
前記目的を達成するために、本考案に係る台座上面への傘や杖の保持具は、カウンターやテーブルなどの台座の上面に載置して傘や杖を滑り移動不能に吊り下げ保持する台座上面への傘や杖の保持具であって、
前記台座の上面に載置される底面を備えた隆起状本体部に、傘や杖の逆Ｕ字状に屈曲した柄の先端部を係合する下向きの凹部が形成されていることを特徴としている。
【００１０】
前記構成の台座上面への傘や杖の保持具によれば、隆起状本体部の底面を台座の縁部上面に載置した状態で、下向きの凹部に傘や杖の逆Ｕ字状に屈曲した柄の先端部を係合することで、傘や杖を吊り下げ保持することができる。また、傘や杖の逆Ｕ字状に屈曲した柄の先端部を下向きの凹部に係合することによって、隆起状本体部に傘や杖の重量に相当する荷重が負荷されて、隆起状本体部の底面と台座の上面との静摩擦係数（以下の説明では摩擦係数という）が大きくなって、隆起状本体部底面の台座の上面に平行な方向への滑り移動が抑制されるので、傘や杖を台座の上面に滑り移動不能に吊り下げ保持することが可能である。さらに、下向きの凹部は、傘や杖の逆Ｕ字状に屈曲した柄の先端部の相対移動を、該柄の先端部の周方向全域にわたって拘束できるので、肘などが柄に軽く当接しても柄の先端部が下向きの凹部から離脱して台座の上面に滑落するのを阻止できる。そのため、傘や杖が台座の上面に滑り移動不能に吊り下げ保持した状態の維持が可能である。
【００１１】
一方、前記構成の台座上面への傘や杖の保持具の使用は、その隆起状本体部の底面を台座の縁部上面に載置することによって実施できるので、傘や杖の所有者により携行することが可能である。したがって、あらゆる台座への傘や杖の滑り移動不能な吊り下げ保持は、傘や杖の所有者の意向に則して実行することができる。そのため、傘や杖の所有者の意向に反して、台座への傘や杖の滑り移動不能な吊り下げ保持の実行不可能な状態は発生しない。
【００１２】
本考案に係る台座上面への傘や杖の保持具は、隆起状本体部を樹脂またはゴム或いは発泡プラスチックの成形体によって構成することが望ましい。これによると、滑り移動の抑制に有利な大きい摩擦係数を有し、かつ軽量化した隆起状本体部を安価に提供することがきる。そのため、傘や杖が台座の上面に滑り移動不能に吊り下げ保持した状態の維持が可能であるばかりか、傘や杖の所有者による携行が容易になる。
【００１３】
本考案に係る台座上面への傘や杖の保持具は、下向きの凹部を略半球形に形成することが望ましい。これによると、傘や杖の逆Ｕ字状に屈曲した柄の先端部を係合したときのフィット性が向上して安定した係合状態を確保することができるとともに、柄の先端部の相対移動を、該柄の先端部の周方向全域にわたって確実に拘束することが可能である。
【００１４】
本考案に係る台座上面への傘や杖の保持具は、隆起状本体部の形状を円錐台にすることが望ましい。これによると、台座上面への載置時の安定性に優れ、しかも外観がよく携行容易な台座上面への傘や杖の保持具を提供できる。
【００１５】
本考案に係る台座上面への傘や杖の保持具は、隆起状本体部の形状を角錐台にしてもよい。これによっても、台座上面への載置時の安定性に優れ、しかも外観がよく携行容易な台座上面への傘や杖の保持具を提供できる。
【００１６】
本考案に係る台座上面への傘や杖の保持具は、隆起状本体部に顔料または蛍光顔料を含浸させてもよい。隆起状本体部に顔料を含浸させることで、様々な色彩を帯びている隆起状本体部の中から使用者の趣味に適合した色彩の隆起状本体部を選択して使用することができる。これにより、使用者の趣味性を満足させ、かつ使用者個人を識別することが可能となる。また、隆起状本体部に蛍光顔料を含浸させることで、前記顔料を含浸させた構成の隆起状本体部と同様に、使用者の趣味性を満足させ、かつ使用者個人を識別することが可能となる効果を発揮することができるとともに、暗所での取り扱い性を向上せることができ、しかも、夜間、台座上面への傘や杖の保持具を携行した場合、車両運転中の第三者による台座上面への傘や杖の保持具携行者の目視効果をあげて交通安全に寄与することもできる。
【００１７】
本考案に係る台座上面への傘や杖の保持具は、隆起状本体部に連結用の紐を備えることが望ましい。これによると、台座上面への傘や杖の保持具を、連結用の紐を介して傘や杖に連結して携行することができるので、傘や杖の携行に追従して台座上面への傘や杖の保持具を携行することができる。つまり、傘や杖の携行時における台座上面への傘や杖の保持具の携行忘れを避けることが可能である。そのため、傘や杖の台座上面への吊り下げ保持は、連結用の紐による傘や杖と隆起状本体部との連結を解除して、該隆起状本体部を傘から分離して台座の上面に載置することで確実に実行できる。
【００１８】
本考案に係る台座上面への傘や杖の保持具は、連結用の紐を着脱具により分離可能に構成することがより望ましい。これによると、傘や杖の携行時における台座上面への傘や杖の保持具の携行忘れを避けることが可能であるばかりか、着脱具の簡単な着脱操作によって、台座上面への傘や杖の保持具の非使用時には、該台座上面への傘や杖の保持具と傘や杖とを連結できる一連の連結用の紐や、台座上面への傘や杖の保持具の使用時には、該台座上面への傘や杖の保持具の傘や杖からの分離を許容する連結用の紐を得ることができるので、台座上面への傘や杖の保持具の使用時と非使用時との切り換え操作性が向上する。
【００１９】
本考案に係る台座上面への傘や杖の保持具は、隆起状本体部の底面に上向きの凹部を形成してもよい。これによると、隆起状本体部を台座の上面に載置した状態で、隆起状本体部を台座の上面に向けて押圧して弾性変形させると、上向きの凹部は押し潰されて該上向きの凹部内の空気を排出する。その直後に前記押圧を解除して、隆起状本体部を弾性復帰させると、上向きの凹部は、その内部が負圧化された状態で略原形に復して吸盤の機能を発揮し、隆起状本体部を台座上面に吸着させることになる。そのため、傘や杖が台座の上面に滑り移動不能に吊り下げ保持した状態をより強固に維持することができる。
【考案の効果】
【００２０】
本考案に係る台座上面への傘や杖の保持具は、台座の上面に載置される底面を備えた隆起状本体部に、傘や杖の逆Ｕ字状に屈曲した柄の先端部を係合する下向きの凹部が形成されていることにより、傘や杖の逆Ｕ字状に屈曲した柄の先端部の滑り移動を台座上面に平行な全域にわたって確実に拘束することができるとともに、携行可能であることにより傘や杖の所有者の意向に則してあらゆる台座への傘や杖の滑り移動不能な吊り下げ保持を実行することができる。
【図面の簡単な説明】
【００２１】
【図１】本考案に係る台座上面への傘や杖の保持具の一実施形態を示す半截正面図である。
【図２】本考案に係る台座上面への傘や杖の保持具の一実施形態を示す平面図である。
【図３】図１の底面図である。
【図４】傘を滑り移動不能に台座に吊り下げ保持した状態の一例を示す説明図である。
【図５】本考案に係る台座上面への傘や杖の保持具の第２実施形態を示すもので、図５（ａ）は半截正面図、図５（ｂ）は平面図、図５（ｃ）は底面図である。
【図６】本考案に係る台座上面への傘や杖の保持具の第３実施形態を示すもので、図６（ａ）は半截正面図、図６（ｂ）は平面図、図６（ｃ）は底面図である。
【図７】着脱具により分離可能に構成された連結用の紐の一例を示す説明図である。
【図８】着脱具の分離操作により分離した連結用の紐の説明図である。
【図９】連結用の紐の変形例を示す説明図である。
【図１０】本考案に係る台座上面への傘や杖の保持具の第４実施形態を示すもので、図１０（ａ）は半截正面図、図１０（ｂ）は平面図、図１０（ｃ）は底面図である。
【図１１】本考案に係る台座上面への傘や杖の保持具の第５実施形態を示すもので、図１１（ａ）は半截正面図、図１１（ｂ）は平面図、図１１（ｃ）は底面図である。
【図１２】従来例の平面図である。
【図１３】従来例の断面図である。
【図１４】従来例の使用状態を示す斜視図である。
【考案を実施するための形態】
【実施例】
【００２２】
以下、本考案に係る台座上面への傘や杖の保持具の好ましい実施形態を図面に基づいて説明する。図１は、本考案に係る台座上面への傘や杖の保持具の一実施形態を示す半截正面図、図２は、本考案に係る台座上面への傘や杖の保持具の一実施形態を示す平面図、図３は図１の底面図、図４は、傘を滑り移動不能に台座に吊り下げ保持した状態の一例を示す説明図である。これらの図において、台座上面への傘や杖の保持具１は、カウンターやテーブルなどの台座２の上面２ａに載置される底面３を備えた隆起状本体部４を有し、該隆起状本体部４の上面には、傘５の逆Ｕ字状に屈曲した柄６の先端部６ａを上から係合する下向きの凹部７が形成されている。
【００２３】
隆起状本体部４はシリコン樹脂、ポリエチレン樹脂、ポリプロピレン樹脂、軟質ポリ塩化ビニル樹脂などの軟質な樹脂、またはシリコンゴム、ウレタンゴムなどのゴム、或いは発泡ポリスチレン、ウレタンフォーム、発泡ポリエチレンなどの発泡プラスチックの成形体からなり、その形状は円錐台に設定され、下向きの凹部７の形状は略半球形に設定されている。
【００２４】
前記構成の台座上面への傘や杖の保持具１によれば、図４に示すように、隆起状本体部４の底面３をカウンターやテーブルなどの台座２の縁部上面２ａに載置した状態で、下向きの凹部７に傘５の逆Ｕ字状に屈曲した柄６の先端部６ａを上側から係合することで、傘５を吊り下げ保持することができる。また、傘５の逆Ｕ字状に屈曲した柄６の先端部６ａを下向きの凹部７に係合することによって、隆起状本体部４に傘５の重量に相当する荷重が負荷されて、隆起状本体部４の底面３と台座２の上面２ａとの静摩擦係数（以下の説明では摩擦係数という）が大きくなって、隆起状本体部４底面３の台座２の上面２ａに平行な方向への滑り移動が抑制されるので、傘５を台座２の上面２ａに滑り移動不能に吊り下げ保持することが可能である。
【００２５】
また、下向きの凹部７は、傘５の逆Ｕ字状に屈曲した柄６の先端部６ａの相対移動を、該柄６の先端部６ａの周方向全域にわたって拘束できるので、肘などが柄に軽く当接しても柄６の先端部６ａが下向きの凹部７から離脱して台座２の上面２ａに滑落するのを阻止できる。そのため、傘５が台座２の上面２ａに滑り移動不能に吊り下げ保持した状態の維持が可能である。
【００２６】
一方、台座上面への傘や杖の保持具１の使用は、その隆起状本体部４の底面３を台座２の縁部上面２ａに載置することによって実施できるので、傘５の所有者により携行することが可能である。したがって、あらゆる台座２への傘５の滑り移動不能な吊り下げ保持は、傘５の所有者の意向に則して実行することができる。そのため、傘５の所有者の意向に反して、台座２への傘５の滑り移動不能な吊り下げ保持の実行不可能な状態は発生しない。
【００２７】
また、隆起状本体部４をシリコン樹脂、ポリエチレン樹脂、ポリプロピレン樹脂、軟質ポリ塩化ビニル樹脂などの軟質な樹脂、またはシリコンゴム、ウレタンゴムなどのゴム、或いは発泡ポリスチレン、ウレタンフォーム、発泡ポリエチレンなどの発泡プラスチックの成形体によって構成していることにより、滑り移動の抑制に有利な大きい摩擦係数を有し、かつ軽量化した隆起状本体部４を安価に提供することがきる。そのため、傘５が台座２の上面２ａに滑り移動不能に吊り下げ保持した状態の維持が可能であるばかりか、傘５の所有者による携行が容易になる。
【００２８】
さらに、下向きの凹部７の形状が略半球形に設定されていることで、傘５の逆Ｕ字状に屈曲した柄６の先端部６ａを係合したときのフィット性が向上して安定した係合状態を確保することができるとともに、柄６の先端部６ａの相対移動を、該柄６の先端部６ａの周方向全域にわたって確実に拘束することが可能である。
【００２９】
さらにまた、隆起状本体部４の形状が円錐台に設定されていることで、台座２上面２ａへの載置時の安定性に優れ、しかも外観がよく携行容易な台座上面への傘や杖の保持具１を提供できる。
【００３０】
図５（ａ），（ｂ），（ｃ）に示すように、隆起状本体部４の形状を四角錐台に設定しても、あるいは図６（ａ），（ｂ），（ｃ）に示すように、隆起状本体部４の形状を六角錐台に設定しても、前記円錐台の隆起状本体部４と同様に、台座２上面２ａへの載置時の安定性に優れ、しかも外観がよく携行容易な台座上面への傘や杖の保持具を提供できる。なお、図５（ａ），（ｂ），（ｃ）に示す四角錐台の隆起状本体部４における下向きの凹部７は、その幅方向（矢印Ｗ）の一端から他端にかけて下向き円弧状に形成され、図６（ａ），（ｂ），（ｃ）に示す六角錐台の隆起状本体部４における下向きの凹部７は、下向きの六角錐台に形成される。このような、下向き円弧状の下向きの凹部７や下向きの六角錐台の下向きの凹部７であっても、傘５の逆Ｕ字状に屈曲した柄６の先端部６ａを係合したときに安定した係合状態を確保することができるとともに、柄６の先端部６ａの相対移動を、該柄６の先端部６ａの周方向全域にわたって確実に拘束することが可能である。
【００３１】
また、隆起状本体部４に顔料または蛍光顔料を含浸させてもよい。隆起状本体部４に顔料を含浸させることで、様々な色彩を帯びている隆起状本体部４の中から使用者の趣味に適合した色彩の隆起状本体部４を選択して使用することができる。これにより、使用者の趣味性を満足させ、かつ使用者個人を識別することが可能となる。一方、隆起状本体部４に蛍光顔料を含浸させることで、前記顔料を含浸させた構成の隆起状本体部４と同様に、使用者の趣味性を満足させ、かつ使用者個人を識別することが可能となる効果を発揮することができるとともに、暗所での取り扱い性を向上せることができ、しかも、夜間、台座上面への傘や杖の保持具１を携行した場合、車両運転中の第三者による台座上面への傘や杖の保持具１携行者の目視効果をあげて交通安全に寄与することもできる。
【００３２】
一方、図４に示すように、隆起状本体部４に連結用の紐８が備わっていると、台座上面への傘や杖の保持具１を、連結用の紐８を介して傘５に連結して携行することができるので、傘５の携行に追従して台座上面への傘や杖の保持具１を携行することができる。つまり、傘５の携行時における台座上面への傘や杖の保持具１の携行忘れを避けることが可能である。そのため、傘５の台座２の縁部上面２ａへの吊り下げ保持は、連結用の紐８による傘５と隆起状本体部４との連結を解除して、該隆起状本体部４を傘５から分離して台座２の縁部上面に載置することで確実に実行できる。
【００３３】
また、図７に示すように、ワンタッチ操作による着脱が可能なバックルと称される樹脂製で小型の着脱具９を使用して、連結用の紐８を分離可能に構成し、この分離可能な連結用の紐８を介して台座上面への傘や杖の保持具１と傘５とを連結すると、傘５の携行時における台座上面への傘や杖の保持具１の携行忘れを避けることが可能であるばかりか、着脱具９の簡単な着脱操作によって、台座上面への傘や杖の保持具１の非使用時には、該台座上面への傘や杖の保持具１と傘５とを連結できる図７の一連の連結用の紐８や、台座上面への傘や杖の保持具１の使用時には、該台座上面への傘や杖の保持具１の傘５からの分離を許容する図８のような連結用の紐８を得ることができるので、台座上面への傘や杖の保持具１の使用時と非使用時との切り換え操作性が向上する。なお、図４に示す連結の紐８は、図９に示すように、小さいバネ定数で弾性伸縮するコイリング部８ａによって構成してもよい。このように構成された連結の紐８であれば、該連結の紐８と傘５との連結を保持したままの状態でコイリング部８ａを弾性伸長させることによって、隆起状本体部４の底面３をカウンターやテーブルなどの台座２の縁部上面２ａに載置して、台座上面への傘や杖の保持具１を使用することができる。
【００３４】
他方、図１０（ａ），（ｂ），（ｃ）に示すように、隆起状本体部４の底面３に一つの上向きの凹部１０を形成するか、あるいは図１１（ａ），（ｂ），（ｃ）に示すように、隆起状本体部４の底面３に同心円を呈する内外二重の上向きの凹部１０ａ，１０ｂを形成すれば、隆起状本体部４を台座２の上面２ａに載置した状態で、隆起状本体部４を台座２の上面２ａに向けて押圧して弾性変形させると、上向きの凹部１０、１０ａ，１０ｂは押し潰されて該上向きの凹部１０、１０ａ，１０ｂ内の空気を排出する。その直後に前記押圧を解除して、隆起状本体部４を弾性復帰させると、上向きの凹部１０、１０ａ，１０ｂは、その内部が負圧化された状態で略原形に復して吸盤の機能を発揮し、隆起状本体部４を台座２の上面２ａに吸着させることになる。そのため、傘５が台座２の上面２ａに滑り移動不能に吊り下げ保持した状態をより強固に維持することができる。
【００３５】
なお、前記実施形態では、隆起状本体部４の底面３をカウンターやテーブルなどの台座２の縁部上面２ａに載置した状態で、下向きの凹部７に傘５の逆Ｕ字状に屈曲した柄６の先端部６ａを上側から係合することで、傘５を吊り下げ保持する説明で終始しているが、図示していない杖の逆Ｕ字状に屈曲した柄の先端部を下向きの凹部７に上側から係合することで、杖を前記の傘５と同様に吊り下げ保持することも可能である。
【００３６】
また、円錐台以外の隆起状本体部４の形状として、隆起状本体部４を四角錐台、あるいは六角錐台に設定した構成で説明しているが、隆起状本体部４の形状は三角錐台、あるいは八角以上の角錐台に設定した構成であってもよい。
【００３７】
さらに、隆起状本体部４に顔料または蛍光顔料を含浸した構成で説明しているが、隆起状本体部４の表面に着色された光反射フィルムを貼着した構成であっても顔料または蛍光顔料を含浸した構成の前記実施形態と同様の作用・効果を奏すことができる。
【００３８】
また、前記実施形態では、台座上面への傘や杖の保持具１を、連結用の紐８を介して傘５や図示されていない杖に連結して携行する構成で説明しているが、台座上面への傘や杖の保持具１を、連結用の紐８を介して鞄やキーホルダなど連結して携行してもよい。
【産業上の利用可能性】
【００３９】
銀行や店のカウンターまたはテーブルもしくはＡＴＭ等の現金自動預払機あるいは駅の切符自販機などの台座の上面に載置して、傘や杖を吊り下げ保持する。
【符号の説明】
【００４０】
１  台座上面への傘や杖の保持具
２  台座
２ａ  台座の上面
３  隆起状本体部の底面
４  隆起状本体部
５  傘
６  傘や杖の逆Ｕ字状に屈曲した柄
６ａ  柄の先端部
７  下向きの凹部
８  連結用の紐
９  着脱具
１０  上向きの凹部
１０ａ  上向きの凹部
１０ｂ  上向きの凹部
【図１】
0003162480.tif 000003
【図２】
0003162480.tif 000004
【図３】
0003162480.tif 000005
【図４】
0003162480.tif 000006
【図５】
0003162480.tif 000007
【図６】
0003162480.tif 000008
【図７】
0003162480.tif 000009
【図８】
0003162480.tif 000010
【図９】
0003162480.tif 000011
【図１０】
0003162480.tif 000012
【図１１】
0003162480.tif 000013
【図１２】
0003162480.tif 000014
【図１３】
0003162480.tif 000015
【図１４】
0003162480.tif 000016